(57)【要約】【課題】作業性を向上できるワイヤハーネスを提供する。【解決手段】編組部材２２と、該編組部材２２の少なくとも一部を挿通可能な開口部３１ａを有して前記編組部材２２の一部を収容する導電性を有する収容端子部３１とを有する。収容端子部３１は、編組部材２２を収容した状態で該編組部材２２と収容端子部３１とを電気的に接続した状態で取付対象である金属片４１に取り付けるためのボルトＢを挿通するボルト挿通孔３１ｄを有する。【選択図】図３
2018120745.tif 000002
【特許請求の範囲】
【請求項１】
導電線と、該導電線の少なくとも一部を挿通可能な開口部を有して前記導電線の一部を収容する導電性を有する収容端子部とを有し、
前記収容端子部は、前記導電線を収容した状態で該導電線と前記収容端子部とを電気的に接続した状態で取付対象に取り付けるためのボルトを挿通するボルト挿通孔を有することを特徴とするワイヤハーネス。
【請求項２】
請求項１に記載のワイヤハーネスにおいて、
前記収容端子部は、前記導電線を挿通可能な開口部の反対側に前記導電線と当接可能な底部を有することを特徴とするワイヤハーネス。
【請求項３】
請求項１又は２に記載のワイヤハーネスにおいて、
前記収容端子部は、前記開口部側の端部から延出する延出片が設けられることを特徴とするワイヤハーネス。
【請求項４】
請求項１〜３のいずれか一項に記載のワイヤハーネスにおいて、
前記導電線は、金属素線を編組した編組部材であることを特徴とするワイヤハーネス。
【発明の詳細な説明】
【技術分野】
【０００１】
本発明は、ワイヤハーネスに関するものである。
【背景技術】
【０００２】
従来、車両に搭載されるワイヤハーネスには、電磁ノイズ対策として、電線の周囲が電磁シールド部品に覆われるものが知られている（例えば、特許文献１参照）。電磁シールド部品は、金属パイプと筒状の編組部材の端部同士が連結部材にて連結されてなり、それら金属パイプ及び編組部材からなる一連の筒体の内部に挿通される電線を電磁シールドするようになっている。電磁シールド部品の金属パイプは、電線を物理的に保護し、さらに、電線を予め定められた配線経路に沿う形状に維持する。一方、編組部材は、金属素線が編み込まれて筒状に形成された柔軟性を有する部材であるため、例えば電線の末端寄りの部分の曲げ変形に対応可能となる。
【０００３】
特許文献１のワイヤハーネスでは、編組部材の少なくとも一部に端子金具を圧着し、端子金具をボルトによって車両側の部材と締結させて接地を行うようになっている。
【先行技術文献】
【特許文献】
【０００４】
【特許文献１】特開２０１６−２１９２３２号公報
【発明の概要】
【発明が解決しようとする課題】
【０００５】
ところで、上記のようなワイヤハーネスにおいては、端子金具のバレル部によって編組部材等の導電線に圧着し、端子金具をボルトによって車両側の部材と締結させる必要があり、作業性の面で改善の余地が残されている。
【０００６】
本発明は、上記課題を解決するためになされたものであって、その目的は、作業性を向上できるワイヤハーネスを提供することにある。
【課題を解決するための手段】
【０００７】
上記課題を解決するワイヤハーネスは、導電線と、該導電線の少なくとも一部を挿通可能な開口部を有して前記導電線の一部を収容する導電性を有する収容端子部とを有し、前記収容端子部は、前記導電線を収容した状態で該導電線と前記収容端子部とを電気的に接続した状態で取付対象に取り付けるためのボルトを挿通するボルト挿通孔を有する。
【０００８】
この構成によれば、収容端子部は、導電線を収容した状態で導電線と収容端子部とを電気的に接続した状態で取付対象に取り付けるためのボルトを挿通するボルト挿通孔を有する。このため、収容端子部に導電線を収容した状態でボルト挿通孔にボルトを挿通して共締めすることで導電線が収容端子部を介して取付対象と電気的に接続した状態とすることができる。つまり、導電線と収容端子部との接続工程と、収容端子部と取付対象との接続工程を略同時に行うことができるため、作業性を向上することができる。
【０００９】
上記ワイヤハーネスにおいて、前記収容端子部は、前記導電線を挿通可能な開口部の反対側に前記導電線と当接可能な底部を有することが好ましい。
この構成によれば、収容端子部に底部が設けられることで、開口部から挿通される導電線が底部側から露出することが抑えることができる。このため、導電線が露出することによる地絡が抑えられる。
【００１０】
上記ワイヤハーネスにおいて、前記収容端子部は、前記開口部側の端部から延出する延出片が設けられることが好ましい。
この構成によれば、収容端子部の開口部側の端部に延出片が設けられるため、延出片に対して導電線をテープ巻等により仮固定することができるため、収容端子部から導電線が脱落することを抑えることができる。
【００１１】
上記ワイヤハーネスにおいて、前記導電線は、金属素線を編組した編組部材であることが好ましい。
この構成によれば、導電線は、金属素線を編組した編組部材であるため、収容端子部を取付対象に接続することで編組部材を電気的に接続することが可能となる。
【発明の効果】
【００１２】
本発明のワイヤハーネスによれば、作業性を向上できる。
【図面の簡単な説明】
【００１３】
【図１】実施形態のワイヤハーネスの概略構成図。
【図２】同形態のワイヤハーネスの編組部材と収容端子部とを組み付けた状態を示す斜視図。
【図３】同形態のワイヤハーネスの編組部材と収容端子部とを組み付けた状態を示す断面図。
【図４】同形態のワイヤハーネスの編組部材と収容端子部との組み付け工程を説明するための断面図。
【図５】同形態のワイヤハーネスの編組部材と収容端子部との組み付け工程を説明するための断面図。
【図６】変形例のワイヤハーネスの編組部材と収容端子部との組み付け工程を説明するための断面図。
【図７】変形例のワイヤハーネスの編組部材と収容端子部との組み付け状態を示す断面図。
【発明を実施するための形態】
【００１４】
以下、ワイヤハーネスの一実施形態について、図１〜図３に従って説明する。なお、各図面では、説明の便宜上、構成の一部を誇張又は簡略化して示す場合がある。また、各部分の寸法比率についても、実際と異なる場合がある。
【００１５】
図１に示すように、本実施形態のワイヤハーネス１０は、ハイブリッド車や電気自動車等において、例えば車両後部に設置された高圧バッテリ１１と車両前部に設置されたインバータ１２とを接続するために、車両の床下等を通るように配索される。インバータ１２は、車両走行の動力源となる車輪駆動用モータ（図示略）と接続され、高圧バッテリ１１の直流電力から交流電力を生成し、該交流電力をモータに供給する。高圧バッテリ１１は、数百ボルトの電圧を供給可能なバッテリである。
【００１６】
ワイヤハーネス１０は、高圧バッテリ１１のプラス端子及びマイナス端子とそれぞれ接続される２つの高圧電線１３ａ，１３ｂと、各高圧電線１３ａ，１３ｂを一括して包囲する筒状の電磁シールド部１４とを備えている。
【００１７】
各高圧電線１３ａ，１３ｂは、導体よりなる芯線が絶縁材からなる絶縁被覆にて覆われた被覆電線である。各高圧電線１３ａ，１３ｂは、自身にシールド構造を有しないノンシールド電線であり、高電圧・大電流に対応可能な電線である。各高圧電線１３ａ，１３ｂは、電磁シールド部１４内に挿通されるとともに、各高圧電線１３ａ，１３ｂの一端部はコネクタＣ１を介して高圧バッテリ１１と接続され、他端部はコネクタＣ２を介してインバータ１２と接続されている。
【００１８】
電磁シールド部１４は、全体として長尺の筒状をなしている。そして、電磁シールド部１４は、その長さ方向の中間部に位置する金属パイプ２１と、該金属パイプ２１で構成された部位以外の長さ方向両端部を含む範囲に位置する編組部材２２とを有する。
【００１９】
金属パイプ２１は、例えばアルミニウム系の金属材料にて構成されている。金属パイプ２１は、車両の床下を通って配索されるものであり、該床下の構成に応じた所定形状に屈曲される。金属パイプ２１は、内部に挿通された各高圧電線１３ａ，１３ｂを一括して電磁シールドするとともに、各高圧電線１３ａ，１３ｂを飛び石等から保護する。
【００２０】
編組部材２２は、複数の金属素線が編み込まれて構成された筒状の部材である。編組部材２２は、かしめリング等の連結部材（図示略）によって、金属パイプ２１の長さ方向の両端部にそれぞれ連結され、これにより、各編組部材２２と金属パイプ２１とが互いに電気的に接続されている。
【００２１】
各編組部材２２の外周は、例えばコルゲートチューブ等の外装材２３によって包囲されている。また、金属パイプ２１と編組部材２２との接続箇所には、該接続箇所の外周を覆って水の浸入を防止するゴム製のグロメット２４が装着されている。
【００２２】
各編組部材２２は、各高圧電線１３ａ，１３ｂにおける金属パイプ２１の端部から導出された部位（パイプ外部位Ｘ）の外周を一括して包囲している。これにより、各高圧電線１３ａ，１３ｂのパイプ外部位Ｘが、各編組部材２２によって電磁シールドされるようになっている。
【００２３】
図２及び図３に示すように、編組部材２２は、その一部が外装材２３から引き出され、引き出された編組部材２２の端部に収容端子部３１が取り付けられている。
図２及び図３に示すように、収容端子部３１は、一方に開口部３１ａと他方に底部３１ｂを有した有底筒状をなし、外周面３１ｃにおける径方向対向位置に２つのボルト挿通孔３１ｄが形成される。収容端子部３１は、ボルト挿通孔３１ｄにボルトＢの軸部Ｂ１が挿通されるとともに、取付対象である車両に設けられた金属片４１の挿通孔４１ａに前記ボルトＢが挿通されてナットＮ並びにボルトＢが締結されることで金属片４１に取り付けられるようになっている。このとき、収容端子部３１に収容された編組部材２２をボルトＢによって収容端子部３１と共締めすることで、編組部材２２と収容端子部３１と金属片４１とが電気的に接続された状態となる。このため、前述したような編組部材２２及び金属パイプ２１による電磁シールドされるようになっている。また、ボルトＢとナットＮを締結する際にボルトＢの頭部Ｂ２とナットＮとが近接するようにねじ締めていくと、それに伴って収容端子部３１のボルト挿通孔３１ｄ同士が徐々に近接するようにボルト挿通孔３１ｄ近傍が潰れるように変形する。図２及び図３では、変形後の状態を示している。
【００２４】
次に、本実施形態のワイヤハーネス１０の編組部材２２及び収容端子部３１の組み付け方法について説明する。
図４に示すように、変形前の収容端子部３１を用意する。
【００２５】
次いで、図５に示すように、収容端子部３１内に引き出された編組部材２２の端部を収容する。
そして、収容端子部３１を貫通するように収容端子部３１の各ボルト挿通孔３１ｄにボルトＢの軸部Ｂ１を挿通する。このとき、ボルトＢ（軸部Ｂ１）によって収容端子部３１内に収容された編組部材２２を貫通するようになっている。この状態で金属片４１の挿通孔４１ａにボルトＢの軸部Ｂ１を挿通した状態で軸部Ｂ１の先端にナットＮを螺合させる。そして、ボルトＢの頭部Ｂ２とナットＮとが近接するようにねじ締めを行うことで、ボルトＢの頭部Ｂ２によってボルト挿通孔３１ｄ同士が徐々に近接するようにボルト挿通孔３１ｄ近傍が潰れるように変形する。これにより、図２及び図３に示すような収容端子部３１と編組部材２２の組み付けが完成し、収容端子部３１、編組部材２２及び金属片４１が電気的に接続された状態とできる。
【００２６】
次に、本実施形態の効果を記載する。
（１）収容端子部３１は、導電線としての編組部材２２を収容した状態で編組部材２２と収容端子部３１とを電気的に接続した状態で取付対象である金属片４１に取り付けるためのボルトＢを挿通するボルト挿通孔３１ｄを有する。このため、収容端子部３１に編組部材２２を収容した状態でボルト挿通孔３１ｄにボルトＢを挿通して共締めすることで編組部材２２が収容端子部３１を介して金属片４１と電気的に接続した状態とすることができる。つまり、編組部材２２と収容端子部３１との接続工程と、収容端子部３１と金属片４１との接続工程を略同時に行うことができるため、作業性を向上することができる。
【００２７】
（２）収容端子部３１に底部３１ｂが設けられることで、開口部３１ａから挿通される編組部材２２が底部３１ｂ側から露出することが抑えることができる。このため、編組部材２２が露出することによる地絡が抑えられる。
【００２８】
（３）導電線として金属素線を編組した編組部材２２であるため、収容端子部３１を金属片４１に接続することで編組部材２２を電気的に接続することが可能となる。
なお、上記実施形態は、以下のように変更してもよい。
【００２９】
・図６及び図７に示すように、収容端子部３１の開口部３１ａ側の端部に延出片３１ｅを設ける構成を採用してもよい。延出片３１ｅは、開口部３１ａ側の端部から底部３１ｂとは反対方向に延出するように構成される。このような構成とすることで、延出片３１ｅに対して編組部材２２をテープ巻等により仮固定することができる。つまり、ボルトＢ及びナットＮによる締結前に予め延出片３１ｅに対して編組部材２２を仮固定することで、収容端子部３１から編組部材２２が脱落することを抑えることができる。
【００３０】
・上記実施形態では、導電線として編組部材を採用したが、これに限らない。例えば、導電線として電力供給を行うための電線を採用してもよい。
・上記実施形態では、収容端子部３１に底部３１ｂを設ける構成を採用したが、底部３１ｂを省略して収容端子部３１の両側に開口部を有する筒状をなすように構成してもよい。このような構成とすることで、収容端子部３１の両側に設けられた開口部のいずれからでも編組部材２２を挿入することが可能となる。
【００３１】
・上記実施形態では、金属パイプ２１を用いる構成としたが、これに限らない。例えば、非金属（例えば樹脂製）のパイプ本体に導電性のシールド層を積層又は埋設した構造のシールドパイプを用いる構成を採用してもよい。
【００３２】
・上記実施形態では、高圧バッテリ１１とインバータ１２とを繋ぐワイヤハーネス１０に適用したが、これ以外に例えば、インバータと駆動モータとを繋ぐワイヤハーネスに適用してもよい。インバータと駆動モータとを繋ぐワイヤハーネスの場合、例えば３相交流電源であるため３つの導電路の内の全て又は一部に適用してもよい。
【００３３】
・上記実施形態並びに各変形例は適宜組み合わせてもよい。
【符号の説明】
【００３４】
１０…ワイヤハーネス
２２…編組部材（導電線）
３１…収容端子部
３１ａ…開口部
３１ｄ…ボルト挿通孔
３１ｅ…延出片
４１…金属片（取付対象）
Ｂ…ボルト
【図１】
2018120745.tif 000003
【図２】
2018120745.tif 000004
【図３】
2018120745.tif 000005
【図４】
2018120745.tif 000006
【図５】
2018120745.tif 000007
【図６】
2018120745.tif 000008
【図７】
2018120745.tif 000009